(57)【要約】【課題】耐久性および美観を向上させることができるＬＥＤ照明器具およびＬＥＤ照明器具の製造方法を提供する。【解決手段】ＬＥＤ照明器具１００は、ポリカーボネート樹脂製の収容ボディ１０１とアクリル樹脂製のグローブ１４０とを備えている。収容ボディ１０１は、底部１０２の周囲に側壁１０５が起立して形成されることにより開口部１０７を有した箱状に形成されている。グローブ１４０は、収容ボディ１０１における開口部１０７を塞ぎつつ収容ボディ１０１の内部に対して光を相互に透過させる部品であり、ドーム状に形成されている。グローブ１４０には、収容ボディ１０１における開口部端面１０６に突合せられる突合せ端面１４１ａが形成されている。突合せ端面１４１ａ上には、開口部端面１０６上に接合する前の状態において凸状突起１４２が形成されている。グローブ１４０は、突合せ面１４１が開口部端面１０６に熱溶着されて開口部１０７を密閉する。【選択図】  図１
2015232959.tif 000002
【特許請求の範囲】
【請求項１】
光を発するＬＥＤ光源と、
前記ＬＥＤ光源を支持する支持部および同ＬＥＤ光源から発せられる光が通る開口部を有して前記ＬＥＤ光源を収容する収容ボディと、
前記開口部の縁部を形成する側壁の端面である開口部端面に突合せられる突合せ端面を有して前記開口部を覆う透明体または半透明体からなるグローブとを備え、
前記収容ボディにおける前記開口部端面と前記グローブにおける前記突合せ端面とを熱溶着することにより前記開口部を密閉したことを特徴とするＬＥＤ照明器具。
【請求項２】
請求項１に記載したＬＥＤ照明器具において、
前記収容ボディは、
前記ＬＥＤ光源に電力を供給する電源コードを挿通させるコード貫通孔と、
前記電源コードが貫通するリング状に形成されるとともに前記コード貫通孔に対して前記収容ボディの外側に張り出した張出部を有して同コード貫通孔に嵌合する弾性部材からなるグロメットと、
前記グロメットにおける前記張出部を押圧して押し潰した状態で前記収容ボディに取り付けられる押圧体とを備えることを特徴とするＬＥＤ照明器具。
【請求項３】
請求項２に記載したＬＥＤ照明器具において、
前記押圧体は、
前記グロメットの中心軸線に向かって同中心軸線に対して斜め方向から押圧することを特徴とするＬＥＤ照明器具。
【請求項４】
請求項２または請求項３に記載のＬＥＤ照明器具において、
前記収容ボディは、
前記コード貫通孔に隣接して形成されて前記収容ボディおよび前記グローブの各内側空間内の空気を吸引するための吸引孔と、
前記吸引孔に前記収容ボディの外側に張り出した状態で設けられて前記吸引孔を塞ぐ弾性部材からなるメクラ栓とを備え、
前記押圧体は、前記グロメットとともに前記メクラ栓を押圧して押し潰した状態で前記収容ボディに取り付けられることを特徴とするＬＥＤ照明器具。
【請求項５】
請求項１ないし請求項４のうちのいずれか１つに記載したＬＥＤ照明器具において、
前記収容ボディ内に設けられて周囲の照度を検出する照度センサと、
前記収容ボディ内に設けられて前記照度センサによる検出信号を用いて前記ＬＥＤ光源の作動を制御する制御部とを備え、
前記照度センサは、
前記収容ボディ内にて前記グローブに面しつつ前記ＬＥＤ光源よりも前記収容ボディ内の内部側に配置されていることを特徴とするＬＥＤ照明器具。
【請求項６】
光を発するＬＥＤ光源と、
前記ＬＥＤ光源を支持する支持部および同ＬＥＤ光源から発せられる光が通る開口部を有して前記ＬＥＤ光源を収容する収容ボディと、
前記開口部の縁部を形成する側壁の端面である開口部端面に突合せられる突合せ端面を有して前記開口部を覆う透明体または半透明体からなるグローブとを備えたＬＥＤ照明器具の製造方法であって、
互いに異なる融点の材料で前記収容ボディおよび前記グローブを構成するとともに、前記融点が低い側の前記収容ボディまたは前記グローブにおける前記開口部端面または前記突合せ端面にこれらの端面の幅よりも短い厚さで突出する凸状突起を形成しておき、
前記収容ボディにおける前記開口部端面と前記グローブにおける前記突合せ端面とを熱溶着して前記開口部を密閉することを特徴とするＬＥＤ照明器具の製造方法。
【発明の詳細な説明】
【技術分野】
【０００１】
本発明は、主として、街路灯や防犯灯として用いられるＬＥＤ照明器具およびＬＥＤ照明器具の製造方法に関する。
【背景技術】
【０００２】
従来から、道路、駐車場または公園などの市街地には街路灯や防犯灯として屋外用照明器具が設置されている。例えば、下記特許文献１には、ＬＥＤ光源を収容するアルミダイキャスト製の収容ボディ（灯具本体）の開口部が透明なアクリル樹脂製のグローブで覆われたＬＥＤ照明器具が開示されている。この場合、グローブは、収容ボディの縁部に形成された溝部内にグローブの縁部が摺動自在に挿し込まれることによって収容ボディに取り付けられている
【先行技術文献】
【特許文献】
【０００３】
【特許文献１】特開２０１２−３８５０４号公報
【０００４】
しかしながら、上記特許文献１に記載されたＬＥＤ照明器具においては、収容ボディとグローブとの間に隙間が生じているため、照明器具内の気密性および液密性が低く雨滴、湿気または虫が照明器具内に侵入して照明器具の耐久性および美観が損なわれるという問題があった。
【発明の概要】
【０００５】
本発明は上記問題に対処するためなされたもので、その目的は、耐久性および美観を向上させることができるＬＥＤ照明器具およびＬＥＤ照明器具の製造方法を提供することにある。
【０００６】
上記目的を達成するため、本発明の特徴は、光を発するＬＥＤ光源と、ＬＥＤ光源を支持する支持部および同ＬＥＤ光源から発せられる光が通る開口部を有してＬＥＤ光源を収容する収容ボディと、開口部の縁部を形成する側壁の端面である開口部端面に突合せられる突合せ端面を有して開口部を覆う透明体または半透明体からなるグローブとを備え、収容ボディにおける開口部端面とグローブにおける突合せ端面とを熱溶着することにより開口部を密閉したことにある。
【０００７】
このように構成した本発明の特徴によれば、ＬＥＤ照明器具によれば、収容ボディにおける開口部端面とグローブにおける突合せ端面とを熱溶着することによって収容ボディの開口部を密閉しているため、収容ボディとグローブとの間の隙間を介して雨滴、湿気または虫が照明器具内に侵入することを防止することができる。この結果、本発明に係るＬＥＤ照明器具によれば、耐久性および美観を向上させることができる。
【０００８】
また、本発明の他の特徴は、前記ＬＥＤ照明器具において、収容ボディは、ＬＥＤ光源に電力を供給する電源コードを挿通させるコード貫通孔と、電源コードが貫通するリング状に形成されるとともにコード貫通孔に対して収容ボディの外側に張り出した張出部を有して同コード貫通孔に嵌合する弾性部材からなるグロメットと、グロメットにおける張出部を押圧して押し潰した状態で収容ボディに取り付けられる押圧体とを備えることにある。
【０００９】
このように構成した本発明の他の特徴によれば、ＬＥＤ照明器具は、ＬＥＤ光源に電力を供給する電源コードを通すために収容ボディに形成されたコード貫通孔に弾性体からなるグロメットが設けられるとともに、このグロメットを押圧して押し潰す押圧体が設けられているため、コード貫通孔および電源コードの周囲から照明器具内に雨滴、湿気または虫が侵入することが防止でき、ＬＥＤ照明器具の耐久性および美観を向上させることができる。
【００１０】
また、本発明の他の特徴は、前記ＬＥＤ照明器具において、押圧体は、グロメットの中心軸線に向かって同中心軸線に対して斜め方向から押圧することにある。
【００１１】
このように構成した本発明の他の特徴によれば、ＬＥＤ照明器具は、押圧体がグロメットの中心軸線に向かって同中心軸線に対して斜め方向から押圧するため、グロメットにおける電源コードが貫通する内周部を電源コード側に押し付けることができ、グロメットと電源コードとの気密性および液密性をより向上させることができる。
【００１２】
また、本発明の他の特徴は、前記ＬＥＤ照明器具において、収容ボディは、コード貫通孔に隣接して形成されて収容ボディおよびグローブの各内側空間内の空気を吸引するための吸引孔と、吸引孔に収容ボディの外側に張り出した状態で設けられて吸引孔を塞ぐ弾性部材からなるメクラ栓とを備え、押圧体は、グロメットとともにメクラ栓を押圧して押し潰した状態で収容ボディに取り付けられることにある。
【００１３】
このように構成した本発明の他の特徴によれば、ＬＥＤ照明器具は、収容ボディに照明器具内の空気を吸引するための吸引孔が形成されているとともに、この吸引孔には押圧体によって押し潰される弾性体からなるメクラ栓が設けられている。これにより、ＬＥＤ照明器具は、製造過程において、収容ボディおよびグローブの各内側空間からなる照明器具内から吸引孔を介して空気を吸引することによって気密性および液密性を確認することができるとともに、この吸引孔をメクラ栓および押圧体によって密閉することができる。この結果、気密性および液密性の良いＬＥＤ照明器具を製造できるとともに、製造後における照明器具内への雨滴、湿気または虫が侵入することが防止できる。
【００１４】
また、本発明の他の特徴は、前記ＬＥＤ照明器具において、収容ボディ内に設けられて周囲の照度を検出する照度センサと、収容ボディ内に設けられて照度センサによる検出信号を用いてＬＥＤ光源の作動を制御する制御部とを備え、照度センサは、収容ボディ内にてグローブに面しつつＬＥＤ光源よりも収容ボディ内の内部側に配置されていることにある。
【００１５】
このように構成した本発明の他の特徴によれば、ＬＥＤ照明器具は、ＬＥＤ光源の作動を制御するための照度センサが収容ボディ内でＬＥＤ光源によりも内部側（換言すれば、奥側）に設けられているため、ＬＥＤ光源が発する光に影響されることなく照度センサに照度検出を行なわせることができる。
【００１６】
また、本発明は、ＬＥＤ照明器具の発明として実施できるばかりでなく、ＬＥＤ照明器具の製造方法の発明としても実施できるものである。
【００１７】
具体的には、ＬＥＤ照明器具の製造方法は、光を発するＬＥＤ光源と、ＬＥＤ光源を支持する支持部および同ＬＥＤ光源から発せられる光が通る開口部を有してＬＥＤ光源を収容する収容ボディと、開口部の縁部を形成する側壁の端面である開口部端面に突合せられる突合せ端面を有して開口部を覆う透明体または半透明体からなるグローブとを備えたＬＥＤ照明器具の製造方法であって、互いに異なる融点の材料で収容ボディおよびグローブを構成するとともに、融点が低い側の収容ボディまたはグローブにおける開口部端面または突合せ端面にこれらの端面の幅よりも短い厚さで突出する凸状突起を形成しておき、収容ボディにおける開口部端面とグローブにおける突合せ端面とを熱溶着して開口部を密閉するようにすればよい。
【００１８】
これによれば、ＬＥＤ照明器具の製造方法は、相対的に融点が低い材料で構成された収容ボディまたはグローブにおける開口部端面または突合せ端面にこれらの端面の幅よりも短い厚さで突出する凸状突起を形成して開口部端面と突合せ端面とを熱溶着しているため、凸状突起を低融点側の加熱温度で迅速に溶融させて開口部端面と突合せ端面とを溶着することができる。これにより、本発明に係るＬＥＤ照明器具の製造方法は、ＬＥＤ照明器具を経済的かつ短時間に製造することができる。
【図面の簡単な説明】
【００１９】
【図１】本発明の一実施形態に係るＬＥＤ照明器具の外観構成の概略を示す使用状態図である。
【図２】図１に示したＬＥＤ照明器具の内部構成の概略を示す断面図である。
【図３】図１に示したＬＥＤ照明器具における収容ボディの外観構成の概略を示す底面図である。
【図４】（ａ）〜（ｅ）は図１に示したＬＥＤ照明器具における押圧体の外観構成の概略を示しており、（ａ）は押圧体の正面図であり、（ｂ）は押圧体の左側面図であり、（ｃ）は押圧体の右側面図であり、（ｄ）は押圧体の平面図であり、（ｅ）は押圧体の背面図である。
【図５】図１に示したＬＥＤ照明器具における収容ボディの側壁に押圧体を取り付ける前の状態を概略的に示す断面図である。
【図６】図１に示したＬＥＤ照明器具における収容ボディの側壁に押圧体を取り付けた直後の状態を概略的に示す断面図である。
【図７】図２に示した７−７線から見たＬＥＤ照明器具におけるグローブの構成を概略的に示す断面図である。
【発明を実施するための形態】
【００２０】
以下、本発明に係るＬＥＤ照明器具およびＬＥＤ照明器具の製造方法の一実施形態について図面を参照しながら説明する。図１は、本発明に係るＬＥＤ照明器具１００の外観構成の概略を示す使用状態図である。図２は、図１に示すＬＥＤ照明器具１００の内部構成の概略を示す断面図である。このＬＥＤ照明器具１００は、道路、駐車場または公園などの市街地には街路灯や防犯灯として用いられる屋外用照明器具である。
【００２１】
（ＬＥＤ照明器具１００の構成）
ＬＥＤ照明器具１００は、主として、収容ボディ１０１、グローブ１２０およびアーム１３０をそれぞれ備えて構成されている。収容ボディ１０１は、ＬＥＤ光源１２１および制御基板１２２をそれぞれ収容してＬＥＤ照明器具１００における筐体の一部を構成する部品であり、底部１０２の周囲に側壁１０５が起立して形成されることにより開口部１０７を有した箱状に形成されている。この収容ボディ１０１は、本実施形態においては、ポリカーボネート樹脂によって構成されている。
【００２２】
底部１０２は、収容ボディ１０１のおける底面を構成する部分であり、平面視で長尺に延びる方形状に形成されている。この底部１０２は、光源支持部１０３および２つの低部１０４ａ，１０４ｂをそれぞれ備えて構成されている。これらのうち、光源支持部１０３は、ＬＥＤ光源１２０を支持する長尺に延びた板状の部分であり、低部１０４ａ，１０４ｂの間の領域にこれらから開口部側に張り出して形成されている。低部１０４ａ，１０４ｂは、光源支持部１０３の長手方向の両側に光源支持部１０３よりも引っ込んで形成された板状の部分である。これらのうち、低部１０４ａは、制御基板１２１を支持している。
【００２３】
側壁１０５は、底部１０２の四方の周囲に起立した状態で設けられた壁状の部分であり、光源支持部１０３よりも高い高さで形成されている。これにより、４つの側壁１０５は、底部１０２に対向した状態で同底部１０２に対応する長方形状の開口部１０７を形成している。これら４つの側壁１０５の端面である開口部端面１０６には、同端面上における最も内側に突出した状態で位置決め突起１０６ａが形成されるとともにこの位置決め突起１０６ａの外側に粗面部１０６ｂが形成されている。粗面部１０６ｂは、溶融したグローブ１３０の一部との接着性を向上させるための部分であり、梨地状の凹凸で構成されている。
【００２４】
また、４つの側壁１０５のうち低部１０４ｂの幅方向に延びて起立する側壁１０５ａには、図３に示すように、コード貫通孔１０８および吸引孔１１１がそれぞれ形成されている。コード貫通孔１０８は、ＬＥＤ光源１３０に電力を供給する電源コード１３１を収容ボディ１０１内に引き入れるための貫通孔である。このコード貫通孔１０８には、グロメット１１０が嵌め込まれている。
【００２５】
グロメット１１０は、コード貫通孔１０８と電源コード１３１との間の隙間を埋めて収容ボディ１０１内への雨滴、湿気または虫などの侵入するための弾性部材からなるリング状のシール部材である。本実施形態においては、グロメット１１０は、人手で容易弾性変形するゴム材で構成されている。このグロメット１１０は、外周部にコード貫通孔１０８を形成する側壁１０５ａを挟む溝部１１０ａが形成されるとともに、この溝部１１０ａの両側に側壁１０５ａに対して外側および内側にそれぞれ張り出す張出部１１０ｂが形成されている。
【００２６】
吸引孔１１１は、収容ボディ１０１にグローブ１３０が取り付けられた状態でＬＥＤ照明器具１００の内部から空気を吸引して気密性および液密性を確認するための貫通孔である。この吸引孔１１１は、コード貫通孔１０８に対して幅方向に隣接した位置にコード貫通孔１０８よりも小径に形成されている。この吸引孔１１１には、メクラ栓１１２が嵌め込まれている。
【００２７】
メクラ栓１１２は、吸引孔１１１を塞いで収容ボディ１０１内への雨滴、湿気または虫などの侵入するための弾性部材からなるリング状のシール部材である。本実施形態においては、メクラ栓１１２は、人手で容易弾性変形するゴム材で構成されている。このメクラ栓１１２は、先端部が吸引孔１１１を貫通して矢じり状の返しが形成されるとともに、後端部に吸引孔１１１から外側に向かって張り出す張出部１１２ａが形成されている。
【００２８】
収容ボディ１０１における光源支持部１０３上には、ＬＥＤ光源１２０が設けられている。ＬＥＤ光源１２０は、ＬＥＤ照明器具１１０における光を発する部品であり、基板上に複数のＬＥＤ発光素子（Light Emitting Diode：発光ダイオード）が配置されて構成されている。本実施形態においては、ＬＥＤ光源１２０は、白色光を発光するＬＥＤ発光素子で構成されている。このＬＥＤ光源１２０は、制御基板１２１によって作動が制御される。なお、ＬＥＤ光源１２０は、白色以外の光（例えば、赤色や青色）を照射するものであってもよいことは当然である。
【００２９】
制御基板１２１は、マイクロコンピュータによって構成された制御部１２２および照度センサ１２４を備えて構成されており、ＬＥＤ光源１２０の作動の作動を制御する。より具体的には、制御基板１２１における制御部１２２は、マイクロコンピュータにおける記憶装置（例えば、ＲＯＭ）内に予め記憶された図示しない制御プログラムに従って照度センサ１２４からの検出信号を用いてＬＥＤ光源１２０を点灯または消灯させる。
【００３０】
本実施形態においては、制御部１２２は、ＬＥＤ照明器具１００の周囲の明るさ（照度）が所定の明るさ以下になった場合にＬＥＤ光源１２０を点灯させるとともに、ＬＥＤ照明器具１００の周囲の明るさが所定の明るさ以上になった場合にＬＥＤ光源１２０を消灯させる。この制御部１２２には、図示しない電源部を介して電源コード１２３が接続されている。電源コード１２３は、図示しない外部電源からの電力を制御部１２２、照度センサ１２４およびＬＥＤ光源１２０にそれぞれ供給するための電線である。
【００３１】
照度センサ１２４は、ＬＥＤ照明器具１００の周囲の照度を検出して同照度に対応する電気信号を照度検出信号として制御部１２２に出力する検出器であり、例えば、光を感知するフォトダイオードと電気信号を増幅する電流増幅回路とを備えて構成されている。これらの制御部１２２および照度センサ１２４をそれぞれ備えた制御基板１２１は、収容ボディ１０１における低部１０４ａ上に支持されている。すなわち、制御基板１２１は、
ＬＥＤ光源１２０によりも内部側（換言すれば、内部側）に設けられている。
【００３２】
収容ボディ１０１における側壁１０５ａの外側には、押圧体１３０が取り付けられている。押圧体１３０は、図４（ａ）〜（ｅ）、図５および図６にそれぞれ示すように、グロメット１１０およびメクラ栓１１２を押圧して押し潰すことによってコード貫通孔１０８および吸引孔１１１を気密的および液密的に塞ぐための部品であり、樹脂材をブロック状に形成して構成されている。この押圧体１３０は、グロメット１１０およびメクラ栓１１２を押圧して押し潰すためのグロメット凹部１３１およびメクラ栓凹部１３２がそれぞれ形成されている。
【００３３】
グロメット凹部１３１は、コード貫通孔１０８に取り付けられたグロメット１１０における側壁１０５ａの外側に張り出した張出部１１０ｂを押圧する部分であり、張出部１１０ｂの形状より若干小さい相似形に形成されている。この場合、グロメット凹部１３１は、グロメット１１０の図示しない中心軸線に向かって同中心軸線に対して斜め方向から押圧するために、張出部１１０ｂの出隅部（図５における破線円内）に対応する入隅部（図５における破線円内）がグロメット凹部１３１における他の部分よりもより張り出して形成されている。本実施形態においては、グロメット凹部１３１における２つの入隅部が０．２ｍｍだけ直線状に張り出して形成されている。そして、このグロメット凹部１３１の底部には、電源コード１２３が貫通するコード用貫通孔１３１ａが形成されている。
【００３４】
メクラ栓凹部１３２は、吸引孔１１１に取り付けられたメクラ栓１１２における側壁１０５ａの外側に張り出した張出部１１２ａを押圧する部分であり、張出部１１２ａの形状より若干小さい相似形に形成されている。この場合、メクラ栓凹部１３２は、メクラ栓１１２の図示しない中心軸線に向かって同中心軸線に対して斜め方向から押圧するために、張出部１１２ａの出隅部（図５における破線円内）に対応する入隅部（図５における破線円内）がメクラ栓凹部１３２における他の部分よりもより張り出して形成されている。本実施形態においては、メクラ栓凹部１３２における２つの入隅部が０．２ｍｍだけ直線状に張り出して形成されている。このメクラ栓凹部１３２は、止り穴で形成されている。
【００３５】
収容ボディ１０１における開口部端面１０６上には、グローブ１４０が設けられている。グローブ１４０は、収容ボディ１０１における開口部１０７を塞ぎつつ収容ボディ１０１の内部に対して光を相互に透過させるとともにＬＥＤ照明器具１００における筐体の他の一部を構成する樹脂製の部品であり、開口部１０７を塞ぐドーム状に形成されている。
【００３６】
より具体的には、グローブ１４０は、図７に示すように、収容ボディ１０１の側壁１０５に対応する壁状の側部１４１の一方の端部に突合せ端面１４１ａが形成されるとともに、他方の端部に天井部１４３形成されて構成されている。このグローブ１４０は、本実施形態においては、収容ボディ１０１を構成する材料（ポリカーボネート樹脂）よりも融点が低い材料、具体的には、透明または半透明なアクリル樹脂によって構成されている。突合せ端面１４１ａは、収容ボディ１０１の開口部端面１０６上に突き合せられて接合される部分であり、開口部端面１０６に対応する枠状に形成されている。この突合せ端面１４１ａ上には、開口部端面１０６上に接合する前の状態において凸状突起１４２が形成されている。
【００３７】
凸状突起１４２は、突合せ端面１４１ａを開口部端面１０６上に溶着し易くするために突合せ端面１４１ａ上から凸状に突出させた部分である。本実施形態においては、凸状突起１４２は、突合せ端面１４１ａより狭い厚さ突出するとともに先端部に向かって細くなる断面形状が三角形状（すなわち、山形）に形成されている。この凸状突起１４２は、本実施形態においては、突合せ端面１４１ａ上に連続的に形成されているが、突合せ端面１４１ａ上に断続的に形成されていてもよい。
【００３８】
天井部１４３は、開口部１０７を覆いつつ収容ボディ１０１の内部に対して光を相互に透過させる部分である。この天井部１４３の表裏面には、収容ボディ１０１内に配置されたＬＥＤ光源１２０に対向する部分に光拡散部１４３ａが形成されるとともに、制御基板１２１に対向する部分に光散乱部１４３ｂが形成されている。
【００３９】
これらのうち、光拡散部１４３ａは、ＬＥＤ光源１２０から照射された光の収容ボディ１０１の長手方向側への拡散を阻止しながら同長手方向に直交する幅方向側に向かって拡散させるための部分であり、収容ボディ１０１の長手方向に沿って延びる山と谷とからなる凹凸形状で構成されている。一方、光散乱部１４３ｂは、グローブ１４０の外側からの光を拡散させながらグローブ１４０の内部、すなわち、制御基板１２１側に導くための部分であり、収容ボディ１０１の長手方向および幅方向にそれぞれ沿って延びる山と谷とからなる格子状の凹凸形状で構成されている。
【００４０】
収容ボディ１０１の底部１０２の外側面には、アーム１５０が設けられている。アーム１５０は、ＬＥＤ照明器具１００を電柱などの支柱Ｓに所定の角度で取り付けるための部品であり、収容ボディ１０１における光源支持部１０３の外側面から長尺に延びて形成されている。このアーム１５０は、収容ボディ１０１に対する取り付け部分の反対側にバンド孔１５１が形成されている。バンド孔１５１は、アーム１５０を支柱Ｓに縛るためのバンド１５２が挿通される長孔である。
【００４１】
（ＬＥＤ照明器具１００の製造方法および設置方法）
次に、上記のように構成したＬＥＤ照明器具１００の製造方法について説明する。まず、作業者は、収容ボディ１０１、グロメット１１０、メクラ栓１１２、ＬＥＤ光源１２０、制御基板１２１、押圧体１３０およびグローブ１４０をそれぞれ用意する。この場合、収容ボディ１０１、押圧体１３０およびグローブ１４０は樹脂材の射出成形によってそれぞれ一体成形されている。この場合、グローブ１４０における突合せ端面１４１ａ上には、凸状突起１４２が形成されている。また、制御基板１２１には、制御部１２２、電源コード１２３および照度成センサ１２４などの各種電子素子が互いに電気的に接続された状態で基板上に取り付けられている。
【００４２】
次に、作業者は、ＬＥＤ光源１２０および制御基板１２１を収容ボディ１０１内にそれぞれ取り付ける。より具体的には、作業者は、ＬＥＤ光源１２０を収容ボディ１０１内における光源支持部１０３上に取り付けるとともに制御基板１２１を低部１０４ａ上に取り付ける、また、作業者は、電源コード１２３をグロメット１１０およびコード貫通孔１０８にそれぞれ通して電源コード１２３の先端部を収容ボディ１０１の外に引き出すとともに、グロメット１１０の溝部１１０ａをコード貫通孔１０８の内周面に嵌め込む。
【００４３】
次に、作業者は、収容ボディ１０１にグローブ１４０を取り付ける。具体的には、作業者は、図示しない超音波溶着機の支持治具上に収容ボディ１０１をセットした後、収容ボディ１０１の開口部端面１０６上にグローブ１４０の突合せ端面１４１ａを合わせて載置する。これにより、グローブ１４０の突合せ端面１４１ａ上に形成された凸状突起１４２が収容ボディ１０１の開口部端面１０６上に載置された状態となる。
【００４４】
次いで、作業者は、超音波溶着機におけるホーン（被加工物に対して超音波を伝達しながら押圧する部品）をグローブ１４０上に載置してこのグローブ１４０を押圧した状態でグローブ１４０に対して超音波振動を付与する。この場合、作業者は、グローブ１４０における先鋭部である凸状突起１４２が溶融するために必要な時間だけ超音波振動を付与する。これにより、グローブ１４０は、溶融した凸状突起１４２が開口部端面１０６上の粗面部１０６ｂの凹部内に浸み込んだ後固化することによって収容ボディ１０１に固着する。この場合、グローブ１４０は、長尺に延びる突合せ端面１４１ａのすべてが開口部端面１０６に溶着されて開口部１０７を密閉する。
【００４５】
次に、作業者は、グローブ１４０が溶着された収容ボディ１０１を超音波溶着機から取り外した後、図示しない気密検査機にセットする。ここで、気密検査機は、グローブ１４０が溶着された収容ボディ１０１の内部の空気を吸引した後の空気圧の変化を測定することによって突合せ端面１４１ａと開口部端面１０６との密着性を検査するための機器である。この気密性検査において、作業者は、グローブ１４０が溶着された収容ボディ１０１における吸引孔１１１に気密検査機における吸引管を接続した後、気密検査機を操作することによって収容ボディ１０１内の空気を吸引して負圧状態とする。
【００４６】
そして、作業者は、収容ボディ１０１内における空気圧変動を測定することによって収容ボディ１０１内の気密性を検査する。すなわち、作業者は、空気圧の変動を測定することによって所定時間内（数秒〜数十秒）に収容ボディ１０１内の空気圧に変動が生じなければ突合せ端面１４１ａと開口部端面１０６とが精度良く溶着されたものと判定する一方で、所定時間内（数秒〜数十秒）に収容ボディ１０１内に空気圧が上昇した場合には突合せ端面１４１ａと開口部端面１０６とが溶着不良である判定する。
【００４７】
次に、作業者は、グローブ１４０が完全に溶着された収容ボディ１０１の側壁１０５ａに押圧体１３０を取り付ける。具体的には、作業者は、図５および図６にそれぞれ示すように、押圧体１３０におけるグロメット凹部１３１をグロメット１１０の張出部１１０ｂに対向させるとともに押圧体１３０におけるメクラ栓凹部１３２をメクラ栓１１２の張出部１１２ｂに対向させた状態で押圧体１３０を側壁１０５ａの外側面に宛がう。そして、作業者は、側壁１０５ａの外側面に宛がった押圧体１３０を図示しないビスで固定する。
【００４８】
これにより、グロメット１１０およびメクラ栓１１２は、押圧体１３０によって側壁１０５ａとの間で押し潰されることによってコード貫通孔１０８、電源コード１２３および吸引孔１１１との間の隙間を塞ぐ。この場合、押圧体１３０におけるグロメット凹部１３１およびメクラ栓凹部１３２は、張出部１１０ｂおよび張出部１１２ｂの各出隅部に対応する入隅部がグロメット凹部１３１およびメクラ栓凹部１３２における他の部分よりもより張り出して形成されているため、グロメット１１０およびメクラ栓１１２の各中心軸線に向かって同各中心軸線に対して斜め方向から押圧する。これにより、押圧体１３０におけるグロメット凹部１３１およびメクラ栓凹部１３２は、グロメット１１０およびメクラ栓１１２をそれぞれ各中心軸側および側壁１０５ａ側に効果的に押圧して密着性を高めることができる。
【００４９】
次に、作業者は、アーム１５０を用意して収容ボディ１０１の底部１０２の外側面にビス（図示しないビスを含む）を用いて取り付ける。これにより、作業者は、ＬＥＤ照明器具１００を完成させることができる。そして、ＬＥＤ照明器具１００の設置作業を行う作業者は、完成したＬＥＤ照明器具１００を電柱などの支柱Ｓにバンド１５２を用いて取り付ける。この場合、作業者は、ＬＥＤ照明器具１００内に設けられた照度センサ１２４を上側とするとともにグローブ１４０を地面Ｇ側に向けた姿勢で支柱Ｓに取り付ける（図１参照）。また、作業者は、ＬＥＤ照明器具１００の電源コード１２３を支柱Ｓに配線された図示しない電線に繋ぐ。これにより、ＬＥＤ照明器具１００の設置作業が完了する。
【００５０】
（ＬＥＤ照明器具１００の作動）
次に、上記のように構成したＬＥＤ照明器具１００の作動について説明する。ＬＥＤ照明器具１００は、支柱Ｓに設けられた電源供給用の電線から電力の供給を受けて作動する。具体的には、ＬＥＤ照明器具１００は、照度センサ１２４から出力される照度に関する検出信号に基づいて制御部１２２がＬＥＤ光源１２０を点灯または消灯させる。すなわち、制御部１２２は、照度センサ１２４から出力される検出信号をもちいてＬＥＤ照明器具１００の周囲の照度が所定値未満の場合にＬＥＤ光源１２０を点灯させるとともに、ＬＥＤ照明器具１００の周囲の照度が所定値以上の場合にＬＥＤ光源１２０を消灯させる。なお、図１においては、ＬＥＤ照明器具１００におけるグローブ１４０から照射される光を破線矢印で示している。
【００５１】
このような支柱Ｓ上のＬＥＤ照明器具１００においては、グローブ１４０と収容ボディ１０１とが隙間なく溶着されて収容ボディ１０１における開口部１０７が密閉されているため、収容ボディ１０１とグローブ１４０との間の隙間を介して雨滴、湿気または虫がＬＥＤ照明器具１００内に侵入することが防止される。この結果、本発明に係るＬＥＤ照明器具１００によれば、耐久性および美観を向上させることができる。
【００５２】
さらに、本発明の実施にあたっては、上記実施形態に限定されるものではなく、本発明の目的を逸脱しない限りにおいて種々の変更が可能である。
【００５３】
例えば、上記実施形態においては、グローブ１４０における突合せ端面１４１ａに断面形状体が三角形状の凸状突起１４２を形成した。しかし、凸状突起１１４２は、突合せ面１４１ａの幅（換言すれば、厚さ）よりも薄い厚さで凸状に突出して形成されていればよい。したがって、凸状突起１４２は、断面形状が方形に形成することもできる。また、凸状突起１４２は、収容ボディ１０１およびグローブ１４０のうちの融点が低い材料で構成されたグローブ１４０に形成したが、融点が高い側の材料で構成した収容ボディ１０１に形成することも可能である。また、凸状突起１４２は、突合せ端面１４１ａおよび開口部端面１０６の厚さが薄いため、省略することも可能である。
【００５４】
また、上記実施形態においては、ＬＥＤ照明器具１００は、収容ボディ１０１をポリカーボネート樹脂で構成するとともにグローブ１４０をアクリル樹脂で構成した。しかし、ＬＥＤ照明器具１００は、収容ボディ１０１とグローブ１４０とを熱溶着によって接合して開口部１０７を塞ぐように構成すればよい。したがって、収容ボディ１０１およびグローブ１４０のうちの一方を樹脂以外の材料で構成できるとともに、開口部端面１０６および突合せ端面１４１ａのうちのいずれか一方を樹脂材で構成することもできる。例えば、ＬＥＤ照明器具１００は、収容ボディ１０１をステンレス材やアルミニウム材などの金属材料で構成することができるとともに、グローブ１４０における側部１４１および天井部１４３をガラス材で構成して突合せ端面１４１ａをアクリル樹脂で構成することもできる。
【００５５】
また、上記実施形態においては、押圧体１３０は、メクラ栓凹部１３２を備えて構成されている。しかし、押圧体１３０は、収容ボディ１０１に吸引孔１１１が形成されていない場合には不要である。すなわち、ＬＥＤ照明器具１００は、収容ボディ１０１に必ずしも吸引孔１１１を形成する必要はなく、吸引孔１１１を省略して構成することもできる。
【００５６】
また、上記実施形態においては、ＬＥＤ照明器具１００は、収容ボディ１０１におけるコード貫通孔１０８をグロメット１１０で閉塞するように構成した。しかし、コード貫通孔１０８は、グロメット１１０以外の手法（例えば、パテで埋める）で閉塞することができる。
【００５７】
また、上記実施形態においては、ＬＥＤ照明器具１００は、ＬＥＤ照明器具１００の外部から電力の供給を受けるように構成した。しかし、ＬＥＤ照明器具１００は、収容ボディ１０１内に光エネルギを電気エネルギに変換する所謂太陽光パネルおよびバッテリを備えることにより電力を自己調達するように構成することもできる。この場合、ＬＥＤ照明器具１００は、コード貫通孔１０８、グロメット１１０、吸引孔１１１、メクラ栓１１２および押圧体１３０を省略して構成することができる。この場合、収容ボディ１０１の一部に太陽光パネルに光を導くための透光部を設けるとよい。
【００５８】
また、上記実施形態においては、ＬＥＤ照明器具１００は、外灯として用いた。しかし、ＬＥＤ照明器具１００は、外灯以外の場所で用いることができる。例えば、ＬＥＤ照明器具１００は、湿気の多い場所（例えば、屋内または屋外プール）の照明として用いることができるとともに、虫が多い場所（例えば、植物を栽培するビニールハウス内）の照明として用いることができる。
【符号の説明】
【００５９】
Ｓ…支柱、Ｇ…地面、
１００…ＬＥＤ照明器具、
１０１…収容ボディ、１０２…底部、１０３…光源支持部、１０４ａ，１０４ｂ…底部、１０５，１０５ａ…側壁、１０６…開口部端面、１０６ａ…位置決め突起、１０６ｂ…粗面部、１０７…開口部、１０８…コード貫通孔、
１１０…グロメット、１１０ａ…溝部、１１０ｂ…張出部、１１１…吸引孔、１１２…メクラ栓、１１２ａ…張出部、
１２０…ＬＥＤ光源、１２１…制御基板、１２２…制御部、１２３…電源コード、１２４…照度センサ、
１３０…押圧体、１３１…グロメット凹部、１３１ａ…コード用貫通孔、１３２…メクラ栓凹部、
１４０…グローブ、１４１…側部、１４１ａ…突合せ端面、１４２…凸状突起、１４３…天井部、１４３ａ…光拡散部、１４３ｂ…光散乱部、
１５０…アーム、１５１…バンド孔、１５２…バンド。
【図１】
2015232959.tif 000003
【図２】
2015232959.tif 000004
【図３】
2015232959.tif 000005
【図４】
2015232959.tif 000006
【図５】
2015232959.tif 000007
【図６】
2015232959.tif 000008
【図７】
2015232959.tif 000009